(57)【特許請求の範囲】
【請求項１】
干渉制御用サブフレームと非干渉制御用サブフレームとを時分割多重する移動体通信システムの干渉制御システムにおいて、
干渉制御用サブフレーム及び非干渉制御用サブフレームの送信順を示すサブセットパターンを記憶するサブセット管理部と、
干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部と、
前記第１送信電力を示すメッセージ、及び、前記第２送信電力を示すメッセージを生成する下り送信電力メッセージ生成部と、
前記サブセットパターンを示すメッセージを生成するパターンメッセージ生成部と、
前記第１送信電力を示すメッセージ及び前記第２送信電力を示すメッセージと、前記サブセットパターンを示すメッセージとを、前記第１送信電力及び前記第２送信電力で前記サブセットパターンに応じて送信する送信部と、
を有する干渉制御装置と、
前記第１送信電力を示すメッセージ及び前記第２送信電力を示すメッセージと、前記サブセットパターンを示すメッセージとを、前記送信部から受信する受信部と、
前記第１送信電力を示すメッセージ、及び、前記第２送信電力を示すメッセージを検知する下り送信電力メッセージ検知部と、
前記サブセットパターンを示すメッセージを検知するパターンメッセージ検知部と、
前記受信部により受信された干渉制御用サブフレームを、前記サブセットパターンを示すメッセージに基づいて検知した場合、前記第１送信電力を選択し、且つ、前記受信部により受信された非干渉制御用サブフレームを、前記サブセットパターンを示すメッセージに基づいて検知した場合、前記第２送信電力を選択する、電力及びサブセット管理部と、
干渉制御用サブフレームの受信電力である第１受信電力、及び、非干渉制御用サブフレームの受信電力である第２受信電力を測定する測定部と、
前記電力及びサブセット管理部により前記第１送信電力が選択された場合、前記第１送信電力及び前記第１受信電力に基づくカップリングロスを算出し、且つ、前記電力及びサブセット管理部により前記第２送信電力が選択された場合、前記第２送信電力及び前記第２受信電力に基づくカップリングロスを算出するカップリングロス算出部と、
前記カップリングロス算出部により算出されたカップリングロスに基づいて、上り送信電力を算出する上り送信電力算出部と、
を有する端末と、
を備えることを特徴とする干渉制御システム。
【請求項２】
干渉制御用サブフレームと非干渉制御用サブフレームとを時分割多重する移動体通信システムの干渉制御システムにおいて、
干渉制御用サブフレーム及び非干渉制御用サブフレームの送信順を示すサブセットパターンを記憶するサブセット管理部と、
干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部と、
前記第１送信電力を示すメッセージ、及び、前記第２送信電力を示すメッセージを生成する下り送信電力メッセージ生成部と、
前記サブセットパターンを示すメッセージを生成するパターンメッセージ生成部と、
前記第１送信電力を示すメッセージ及び前記第２送信電力を示すメッセージと、前記サブセットパターンを示すメッセージとを、前記第１送信電力及び前記第２送信電力で前記サブセットパターンに応じて送信する送信部と、
を備えることを特徴とする干渉制御装置。
【請求項３】
干渉制御用サブフレームと非干渉制御用サブフレームとを時分割多重する移動体通信システムの干渉制御システムにおいて、
干渉制御用サブフレームを送信するための下り送信電力である第１送信電力を示すメッセージ、及び、非干渉制御用サブフレームを送信するための下り送信電力である第２送信電力を示すメッセージと、干渉制御用サブフレーム及び非干渉制御用サブフレームの送信順を示すサブセットパターンを示すメッセージとを、受信する受信部と、
干渉制御用サブフレームを送信するための下り送信電力である第１送信電力を示すメッセージ、及び、非干渉制御用サブフレームを送信するための下り送信電力である第２送信電力を示すメッセージを検知する下り送信電力メッセージ検知部と、
干渉制御用サブフレーム及び非干渉制御用サブフレームの送信順を示すサブセットパターンを示すメッセージを検知するパターンメッセージ検知部と、
前記受信部により受信された干渉制御用サブフレームを、前記サブセットパターンを示すメッセージに基づいて検知した場合、前記第１送信電力を選択し、且つ、前記受信部により受信された非干渉制御用サブフレームを、前記サブセットパターンを示すメッセージに基づいて検知した場合、前記第２送信電力を選択する、電力及びサブセット管理部と、
干渉制御用サブフレームの受信電力である第１受信電力、及び、非干渉制御用サブフレームの受信電力である第２受信電力を測定する測定部と、
前記電力及びサブセット管理部により前記第１送信電力が選択された場合、前記第１送信電力及び前記第１受信電力に基づくカップリングロスを算出し、且つ、前記電力及びサブセット管理部により前記第２送信電力が選択された場合、前記第２送信電力及び前記第２受信電力に基づくカップリングロスを算出するカップリングロス算出部と、
前記カップリングロス算出部により算出されたカップリングロスに基づいて、上り送信電力を算出する上り送信電力算出部と、
を備えることを特徴とする端末。
【請求項４】
干渉制御用サブフレームと非干渉制御用サブフレームとを時分割多重する移動体通信システムの干渉制御システムにおいて、
干渉制御用サブフレーム及び非干渉制御用サブフレームの送信順を示すサブセットパターンを記憶し、カップリングロスを算出する対象として、干渉制御用サブフレーム又は非干渉制御用サブフレームを選択するサブセット管理部と、
干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部と、
前記サブセット管理部により選択された干渉制御用サブフレームに対応付けられた前記第１送信電力を示すメッセージ、又は、前記サブセット管理部により選択された非干渉制御用サブフレームに対応付けられた前記第２送信電力を示すメッセージを生成する下り送信電力メッセージ生成部と、
前記サブセットパターンを示すメッセージを生成するパターンメッセージ生成部と、
前記サブセット管理部により選択された干渉制御用サブフレームを示すメッセージ、又は、前記サブセット管理部により選択された非干渉制御用サブフレームを示すメッセージを生成する指示メッセージ生成部と、
前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記第１送信電力及び前記第２送信電力で前記サブセットパターンに応じて送信する送信部と、
を有する干渉制御装置と、
前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記送信部から受信する受信部と、
前記第１送信電力を示すメッセージ、又は、前記第２送信電力を示すメッセージを検知する下り送信電力メッセージ検知部と、
前記サブセットパターンを示すメッセージを検知するパターンメッセージ検知部と、
干渉制御用サブフレームの受信電力である第１受信電力、及び、非干渉制御用サブフレームの受信電力である第２受信電力を測定する測定部と、
干渉制御用サブフレームを示すメッセージ、又は、非干渉制御用サブフレームを示すメッセージを検知する指示メッセージ検知部と、
前記指示メッセージ検知部により干渉制御用サブフレームを示すメッセージが検知された場合、前記第１送信電力及び前記第１受信電力に基づくカップリングロスを算出し、一方、前記指示メッセージ検知部により非干渉制御用サブフレームを示すメッセージが検知された場合、前記第２送信電力及び前記第２受信電力に基づくカップリングロスを算出するカップリングロス算出部と、
前記カップリングロス算出部により算出されたカップリングロスに基づいて、上り送信電力を算出する上り送信電力算出部と、
を有する端末と、
を備えることを特徴とする干渉制御システム。
【請求項５】
干渉制御用サブフレームと非干渉制御用サブフレームとを時分割多重する移動体通信システムの干渉制御システムにおいて、
干渉制御用サブフレーム及び非干渉制御用サブフレームの送信順を示すサブセットパターンを記憶し、カップリングロスを算出する対象として、干渉制御用サブフレーム又は非干渉制御用サブフレームを選択するサブセット管理部と、
干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部と、
前記サブセット管理部により選択された干渉制御用サブフレームに対応付けられた前記第１送信電力を示すメッセージ、又は、前記サブセット管理部により選択された非干渉制御用サブフレームに対応付けられた前記第２送信電力を示すメッセージを生成する下り送信電力メッセージ生成部と、
前記サブセットパターンを示すメッセージを生成するパターンメッセージ生成部と、
前記サブセット管理部により選択された干渉制御用サブフレームを示すメッセージ、又は、前記サブセット管理部により選択された非干渉制御用サブフレームを示すメッセージを生成する指示メッセージ生成部と、
前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記第１送信電力及び前記第２送信電力で前記サブセットパターンに応じて送信する送信部と、
を備えることを特徴とする干渉制御装置。
【請求項６】
干渉制御用サブフレームと非干渉制御用サブフレームとを時分割多重する移動体通信システムの干渉制御システムにおいて、
干渉制御用サブフレームを送信するための下り送信電力である第１送信電力を示すメッセージ、又は、非干渉制御用サブフレームを送信するための下り送信電力である第２送信電力を示すメッセージと、干渉制御用サブフレーム及び非干渉制御用サブフレームの送信順を示すサブセットパターンを示すメッセージと、干渉制御用サブフレームを示すメッセージ又は非干渉制御用サブフレームを示すメッセージとを、受信する受信部と、
前記第１送信電力を示すメッセージ、又は、前記第２送信電力を示すメッセージを検知する下り送信電力メッセージ検知部と、
前記サブセットパターンを示すメッセージを検知するパターンメッセージ検知部と、
干渉制御用サブフレームの受信電力である第１受信電力、及び、非干渉制御用サブフレームの受信電力である第２受信電力を測定する測定部と、
干渉制御用サブフレームを示すメッセージ、又は、非干渉制御用サブフレームを示すメッセージを検知する指示メッセージ検知部と、
前記指示メッセージ検知部により干渉制御用サブフレームを示すメッセージが検知された場合、前記第１送信電力及び前記第１受信電力に基づくカップリングロスを算出し、一方、前記指示メッセージ検知部により非干渉制御用サブフレームを示すメッセージが検知された場合、前記第２送信電力及び前記第２受信電力に基づくカップリングロスを算出するカップリングロス算出部と、
前記カップリングロス算出部により算出されたカップリングロスに基づいて、上り送信電力を算出する上り送信電力算出部と、
を備えることを特徴とする端末。
【請求項７】
干渉制御用サブフレームと非干渉制御用サブフレームとを時分割多重する移動体通信システムの干渉制御システムにおいて、
干渉制御装置のコンピュータに、
干渉制御用サブフレームを送信するための下り送信電力である第１送信電力を示すメッセージ、及び、前記非干渉制御用サブフレームを送信するための下り送信電力である第２送信電力を示すメッセージを生成する手順と、
干渉制御用サブフレーム及び非干渉制御用サブフレームの送信順を示すサブセットパターンを示すメッセージを生成する手順と、
前記第１送信電力を示すメッセージ、及び、前記第２送信電力を示すメッセージと、前記サブセットパターンを示すメッセージとを、前記第１送信電力及び前記第２送信電力で前記サブセットパターンに応じて送信する手順と、
を実行させるための干渉制御プログラム。
【請求項８】
干渉制御用サブフレームと非干渉制御用サブフレームとを時分割多重する移動体通信システムの干渉制御システムにおいて、
端末のコンピュータに、
干渉制御用サブフレームを送信するための下り送信電力である第１送信電力を示すメッセージ、及び、非干渉制御用サブフレームを送信するための下り送信電力である第２送信電力を示すメッセージと、干渉制御用サブフレーム及び非干渉制御用サブフレームの送信順を示すサブセットパターンを示すメッセージとを、受信する手順と、
前記第１送信電力を示すメッセージ、及び、前記第２送信電力を示すメッセージを検知する手順と、
前記サブセットパターンを示すメッセージを検知する手順と、
受信された干渉制御用サブフレームを、前記サブセットパターンを示すメッセージに基づいて検知した場合、前記第１送信電力を選択し、且つ、受信された非干渉制御用サブフレームを、前記サブセットパターンを示すメッセージに基づいて検知した場合、前記第２送信電力を選択する手順と、
干渉制御用サブフレームの受信電力である第１受信電力、及び、非干渉制御用サブフレームの受信電力である第２受信電力を測定する手順と、
前記第１送信電力が選択された場合、前記第１送信電力及び前記第１受信電力に基づくカップリングロスを算出し、且つ、前記第２送信電力が選択された場合、前記第２送信電力及び前記第２受信電力に基づくカップリングロスを算出する手順と、
前記算出されたカップリングロスに基づいて、上り送信電力を算出する手順と、
を実行させるための干渉制御プログラム。
【請求項９】
干渉制御用サブフレームと非干渉制御用サブフレームとを時分割多重する移動体通信システムの干渉制御システムにおいて、
干渉制御装置のコンピュータに、
カップリングロスを算出する対象として、干渉制御用サブフレーム又は非干渉制御用サブフレームを選択する手順と、
選択された干渉制御用サブフレームに対応付けられた第１送信電力を示すメッセージ、又は、選択された非干渉制御用サブフレームに対応付けられた第２送信電力を示すメッセージを生成する手順と、
サブセットパターンを示すメッセージを生成する手順と、
選択された干渉制御用サブフレームを示すメッセージ、又は、選択された非干渉制御用サブフレームを示すメッセージを生成する手順と、
前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記第１送信電力及び前記第２送信電力で前記サブセットパターンに応じて送信する手順と、
を実行させるための干渉制御プログラム。
【請求項１０】
干渉制御用サブフレームと非干渉制御用サブフレームとを時分割多重する移動体通信システムの干渉制御システムにおいて、
端末のコンピュータに、
干渉制御用サブフレームを送信するための下り送信電力である第１送信電力を示すメッセージ、又は、非干渉制御用サブフレームを送信するための下り送信電力である第２送信電力を示すメッセージと、干渉制御用サブフレーム及び非干渉制御用サブフレームの送信順を示すサブセットパターンを示すメッセージと、干渉制御用サブフレームを示すメッセージ又は非干渉制御用サブフレームを示すメッセージとを、受信する手順と、
前記第１送信電力を示すメッセージ、又は、前記第２送信電力を示すメッセージを検知する手順と、
前記サブセットパターンを示すメッセージを検知する手順と、
干渉制御用サブフレームの受信電力である第１受信電力、及び、非干渉制御用サブフレームの受信電力である第２受信電力を測定する手順と、
干渉制御用サブフレームを示すメッセージ、又は、非干渉制御用サブフレームを示すメッセージを検知する手順と、
前記干渉制御用サブフレームを示すメッセージが検知された場合、前記第１送信電力及び前記第１受信電力に基づくカップリングロスを算出し、一方、前記非干渉制御用サブフレームを示すメッセージが検知された場合、前記第２送信電力及び前記第２受信電力に基づくカップリングロスを算出する手順と、
前記算出されたカップリングロスに基づいて、上り送信電力を算出する手順と、
を実行させるための干渉制御プログラム。
【発明の詳細な説明】
【技術分野】
【０００１】
本発明は、無線通信における、干渉制御システム、干渉制御装置、端末及び干渉制御プログラムに関する。
【背景技術】
【０００２】
日本国内の移動通信システムでは、Ｗ‐ＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）及びＣＤＭＡ２０００（Ｃｏｄｅ Ｄｉｖｉｓｉｏｎ Ｍｕｌｔｉｐｌｅ Ａｃｃｅｓｓ  ２０００）に代表される、第３世代移動通信システムが普及している。第３世代移動通信システムの高度化及びその次世代システムとして、３ＧＰＰ（Ｔｈｉｒｄ Ｇｅｎｅｒａｔｉｏｎ Ｐａｒｔｎｅｒｓｈｉｐ Ｐｒｏｊｅｃｔ）の標準規格の一つである「ＬＴＥ（Ｌｏｎｇ Ｔｅｒｍ Ｅｖｏｌｕｔｉｏｎ）」が知られている（非特許文献１参照）。
【０００３】
近年、３ＧＰＰでは、ＬＴＥを更に高度化させた「ＬＴＥ‐Ａｄｖａｎｃｅｄ」に関する検討が行われている。その中でも、低コストで迅速なエリア展開を目指し、ピコ基地局及びフェムト基地局などの小型かつ安価なローカルノードを併用してエリア品質を改善する、ヘテロジニアスネットワーク（Ｈｅｔｅｒｏｇｅｎｅｏｕｓ  Ｎｅｔｗｏｒｋ：ＨｅｔＮｅｔ）の検討が活発である。
【０００４】
ＨｅｔＮｅｔでは、マクロ基地局のエリア内に、ピコ基地局及びフェムト基地局が混在するセル配置となるため、セル間での干渉量が増えるが、適切な干渉制御により、スループットを大きく向上させることができる。３ＧＰＰでは、ＨｅｔＮｅｔにおける干渉制御技術として、サブフレーム(Ｓｕｂ−Ｆｒａｍｅ：ＳＦ)単位で干渉制御を行う、時分割多重(Ｔｉｍｅ Ｄｉｖｉｓｉｏｎ Ｍｕｌｔｉｐｌｅｘ：ＴＤＭ)型干渉制御（非特許文献２参照）と、複数のコンポーネント・キャリア（Ｃｏｍｐｏｎｅｎｔ Ｃａｒｒｉｅｒ：ＣＣ)を用い、周波数軸上で干渉制御を行う、キャリア・アグリゲーション（Ｃａｒｒｉｅｒ Ａｇｇｒｅｇａｔｉｏｎ：ＣＡ)ベース干渉制御（非特許文献３参照）と、が検討されている。
【先行技術文献】
【非特許文献】
【０００５】
【非特許文献１】3GPP, TS36.201, “Evolved Universal Terrestrial Radio Access (E-UTRA); LTE physical layer; General description”, V9.1.0, Mar. 2010.
【非特許文献２】小西  外２名，“TDM型干渉制御手法を適用したピコ局混在型HetNetにおける下りリンクの性能評価，”B-5-73，信学総大，Mar. 2011．
【非特許文献３】伏木  外３名，“ピコ局混在型HetNet用干渉制御手法に関する下りリンクでの性能比較，”B-5-48，信学通ソ，Sep. 2011．
【発明の概要】
【発明が解決しようとする課題】
【０００６】
ところで、キャリア・アグリゲーションをベースとする干渉制御（ＣＡベース干渉制御）では、非干渉制御用キャリアよりも低い送信電力で干渉制御用キャリアが運用されることにより、干渉制御用キャリアを停波した場合と比較して、下りリンク通信容量を向上させることができる。また、ＣＡベース干渉制御では、キャリア毎に異なる下り送信電力設定値を通知することができるので、キャリアが低い送信電力で運用されても、端末は、カップリングロスを正しく推定することができる。
【０００７】
これに対し、ＴＤＭ型干渉制御では、干渉制御用サブフレームと非干渉制御用サブフレームとが同一キャリア内において時分割で切り替えられる際、基地局から端末に下り送信電力を通知する手段は、キャリア当り一つしかない。このため、非干渉制御用サブフレームより低い送信電力で干渉制御用サブフレームが送信された場合、端末は、干渉制御用サブフレーム又は非干渉制御用サブフレームのいずれか一方についてしか、カップリングロスを正しく推定することができない。カップリングロスを正しく推定することができなければ、端末は、上りリンク送信電力を適切に定めることができない。また、上りリンク送信電力が適切に定められなければ、上りリンク通信を確立できないので、干渉制御システムは、干渉制御用サブフレームを低い送信電力で運用することができない。このため、干渉制御システムは、下りリンク通信容量を向上させることができない、という問題がある。
【０００８】
本発明は、前記の諸点に鑑みてなされたものであり、干渉制御用サブフレームと非干渉制御用サブフレームとを時分割多重する移動体通信システムの干渉制御システムにおいて、下りリンク通信容量を向上させることができる干渉制御システム、干渉制御装置、端末及び干渉制御プログラムを提供することを目的とする。
【課題を解決するための手段】
【０００９】
本発明は、上記の課題を解決するためになされたものであり、干渉制御用サブフレームと非干渉制御用サブフレームとを時分割多重する移動体通信システムの干渉制御システムにおいて、干渉制御用サブフレーム及び非干渉制御用サブフレームの送信順を示すサブセットパターンを記憶するサブセット管理部と、干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部と、前記第１送信電力を示すメッセージ、及び、前記第２送信電力を示すメッセージを生成する下り送信電力メッセージ生成部と、前記サブセットパターンを示すメッセージを生成するパターンメッセージ生成部と、前記第１送信電力を示すメッセージ及び前記第２送信電力を示すメッセージと、前記サブセットパターンを示すメッセージとを、前記第１送信電力及び前記第２送信電力で前記サブセットパターンに応じて送信する送信部と、を有する干渉制御装置と、前記第１送信電力を示すメッセージ及び前記第２送信電力を示すメッセージと、前記サブセットパターンを示すメッセージとを、前記送信部から受信する受信部と、前記第１送信電力を示すメッセージ、及び、前記第２送信電力を示すメッセージを検知する下り送信電力メッセージ検知部と、前記サブセットパターンを示すメッセージを検知するパターンメッセージ検知部と、前記受信部により受信された干渉制御用サブフレームを、前記サブセットパターンを示すメッセージに基づいて検知した場合、前記第１送信電力を選択し、且つ、前記受信部により受信された非干渉制御用サブフレームを、前記サブセットパターンを示すメッセージに基づいて検知した場合、前記第２送信電力を選択する、電力及びサブセット管理部と、干渉制御用サブフレームの受信電力である第１受信電力、及び、干渉制御用サブフレームの受信電力である第２受信電力を測定する測定部と、前記電力及びサブセット管理部により前記第１送信電力が選択された場合、前記第１送信電力及び前記第１受信電力に基づくカップリングロスを算出し、且つ、前記電力及びサブセット管理部により前記第２送信電力が選択された場合、前記第２送信電力及び前記第２受信電力に基づくカップリングロスを算出するカップリングロス算出部と、前記カップリングロス算出部により算出されたカップリングロスに基づいて、上り送信電力を算出する上り送信電力算出部と、を有する端末と、を備えることを特徴とする干渉制御システムである。
【００１０】
また、本発明は、干渉制御用サブフレームと非干渉制御用サブフレームとを時分割多重する移動体通信システムの干渉制御システムにおいて、干渉制御用サブフレーム及び非干渉制御用サブフレームの送信順を示すサブセットパターンを記憶するサブセット管理部と、干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部と、前記第１送信電力を示すメッセージ、及び、前記第２送信電力を示すメッセージを生成する下り送信電力メッセージ生成部と、前記サブセットパターンを示すメッセージを生成するパターンメッセージ生成部と、前記第１送信電力を示すメッセージ及び前記第２送信電力を示すメッセージと、前記サブセットパターンを示すメッセージとを、前記第１送信電力及び前記第２送信電力で前記サブセットパターンに応じて送信する送信部と、を備えることを特徴とする干渉制御装置である。
【００１１】
また、本発明は、干渉制御用サブフレームと非干渉制御用サブフレームとを時分割多重する移動体通信システムの干渉制御システムにおいて、干渉制御用サブフレームを送信するための下り送信電力である第１送信電力を示すメッセージ、及び、非干渉制御用サブフレームを送信するための下り送信電力である第２送信電力を示すメッセージと、干渉制御用サブフレーム及び非干渉制御用サブフレームの送信順を示すサブセットパターンを示すメッセージとを、受信する受信部と、干渉制御用サブフレームを送信するための下り送信電力である第１送信電力を示すメッセージ、及び、非干渉制御用サブフレームを送信するための下り送信電力である第２送信電力を示すメッセージを検知する下り送信電力メッセージ検知部と、干渉制御用サブフレーム及び非干渉制御用サブフレームの送信順を示すサブセットパターンを示すメッセージを検知するパターンメッセージ検知部と、前記受信部により受信された干渉制御用サブフレームを、前記サブセットパターンを示すメッセージに基づいて検知した場合、前記第１送信電力を選択し、且つ、前記受信部により受信された非干渉制御用サブフレームを、前記サブセットパターンを示すメッセージに基づいて検知した場合、前記第２送信電力を選択する、電力及びサブセット管理部と、干渉制御用サブフレームの受信電力である第１受信電力、及び、干渉制御用サブフレームの受信電力である第２受信電力を測定する測定部と、前記電力及びサブセット管理部により前記第１送信電力が選択された場合、前記第１送信電力及び前記第１受信電力に基づくカップリングロスを算出し、且つ、前記電力及びサブセット管理部により前記第２送信電力が選択された場合、前記第２送信電力及び前記第２受信電力に基づくカップリングロスを算出するカップリングロス算出部と、前記カップリングロス算出部により算出されたカップリングロスに基づいて、上り送信電力を算出する上り送信電力算出部と、を備えることを特徴とする端末である。
【００１２】
また、本発明は、干渉制御用サブフレームと非干渉制御用サブフレームとを時分割多重する移動体通信システムの干渉制御システムにおいて、干渉制御用サブフレーム及び非干渉制御用サブフレームの送信順を示すサブセットパターンを記憶し、カップリングロスを算出する対象として、干渉制御用サブフレーム又は非干渉制御用サブフレームを選択するサブセット管理部と、干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部と、前記サブセット管理部により選択された干渉制御用サブフレームに対応付けられた前記第１送信電力を示すメッセージ、又は、前記サブセット管理部により選択された非干渉制御用サブフレームに対応付けられた前記第２送信電力を示すメッセージを生成する下り送信電力メッセージ生成部と、前記サブセットパターンを示すメッセージを生成するパターンメッセージ生成部と、前記サブセット管理部により選択された干渉制御用サブフレームを示すメッセージ、又は、前記サブセット管理部により選択された非干渉制御用サブフレームを示すメッセージを生成する指示メッセージ生成部と、前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記第１送信電力及び前記第２送信電力で前記サブセットパターンに応じて送信する送信部と、を有する干渉制御装置と、前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記送信部から受信する受信部と、前記第１送信電力を示すメッセージ、又は、前記第２送信電力を示すメッセージを検知する下り送信電力メッセージ検知部と、前記サブセットパターンを示すメッセージを検知するパターンメッセージ検知部と、干渉制御用サブフレームの受信電力である第１受信電力、及び、干渉制御用サブフレームの受信電力である第２受信電力を測定する測定部と、干渉制御用サブフレームを示すメッセージ、又は、非干渉制御用サブフレームを示すメッセージを検知する指示メッセージ検知部と、前記指示メッセージ検知部により干渉制御用サブフレームを示すメッセージが検知された場合、前記第１送信電力及び前記第１受信電力に基づくカップリングロスを算出し、一方、前記指示メッセージ検知部により非干渉制御用サブフレームを示すメッセージが検知された場合、前記第２送信電力及び前記第２受信電力に基づくカップリングロスを算出するカップリングロス算出部と、前記カップリングロス算出部により算出されたカップリングロスに基づいて、上り送信電力を算出する上り送信電力算出部と、を有する端末と、を備えることを特徴とする干渉制御システムである。
【００１３】
また、本発明は、干渉制御用サブフレームと非干渉制御用サブフレームとを時分割多重する移動体通信システムの干渉制御システムにおいて、干渉制御用サブフレーム及び非干渉制御用サブフレームの送信順を示すサブセットパターンを記憶し、カップリングロスを算出する対象として、干渉制御用サブフレーム又は非干渉制御用サブフレームを選択するサブセット管理部と、干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部と、前記サブセット管理部により選択された干渉制御用サブフレームに対応付けられた前記第１送信電力を示すメッセージ、又は、前記サブセット管理部により選択された非干渉制御用サブフレームに対応付けられた前記第２送信電力を示すメッセージを生成する下り送信電力メッセージ生成部と、前記サブセットパターンを示すメッセージを生成するパターンメッセージ生成部と、前記サブセット管理部により選択された干渉制御用サブフレームを示すメッセージ、又は、前記サブセット管理部により選択された非干渉制御用サブフレームを示すメッセージを生成する指示メッセージ生成部と、前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記第１送信電力及び前記第２送信電力で前記サブセットパターンに応じて送信する送信部と、を備えることを特徴とする干渉制御装置である。
【００１４】
また、本発明は、干渉制御用サブフレームと非干渉制御用サブフレームとを時分割多重する移動体通信システムの干渉制御システムにおいて、干渉制御用サブフレームを送信するための下り送信電力である第１送信電力を示すメッセージ、又は、非干渉制御用サブフレームを送信するための下り送信電力である前記第２送信電力を示すメッセージと、干渉制御用サブフレーム及び非干渉制御用サブフレームの送信順を示すサブセットパターンを示すメッセージと、干渉制御用サブフレームを示すメッセージ又は非干渉制御用サブフレームを示すメッセージとを、受信する受信部と、前記第１送信電力を示すメッセージ、又は、前記第２送信電力を示すメッセージを検知する下り送信電力メッセージ検知部と、前記サブセットパターンを示すメッセージを検知するパターンメッセージ検知部と、干渉制御用サブフレームの受信電力である第１受信電力、及び、干渉制御用サブフレームの受信電力である第２受信電力を測定する測定部と、干渉制御用サブフレームを示すメッセージ、又は、非干渉制御用サブフレームを示すメッセージを検知する指示メッセージ検知部と、前記指示メッセージ検知部により干渉制御用サブフレームを示すメッセージが検知された場合、前記第１送信電力及び前記第１受信電力に基づくカップリングロスを算出し、一方、前記指示メッセージ検知部により非干渉制御用サブフレームを示すメッセージが検知された場合、前記第２送信電力及び前記第２受信電力に基づくカップリングロスを算出するカップリングロス算出部と、前記カップリングロス算出部により算出されたカップリングロスに基づいて、上り送信電力を算出する上り送信電力算出部と、を備えることを特徴とする端末である。
【００１５】
また、本発明は、干渉制御用サブフレームと非干渉制御用サブフレームとを時分割多重する移動体通信システムの干渉制御システムにおいて、干渉制御装置のコンピュータに、干渉制御用サブフレームを送信するための下り送信電力である第１送信電力を示すメッセージ、及び、前記非干渉制御用サブフレームを送信するための下り送信電力である第２送信電力を示すメッセージを生成する手順と、干渉制御用サブフレーム及び非干渉制御用サブフレームの送信順を示すサブセットパターンを示すメッセージを生成する手順と、前記第１送信電力を示すメッセージ、及び、前記第２送信電力を示すメッセージと、前記サブセットパターンを示すメッセージとを、前記第１送信電力及び前記第２送信電力で前記サブセットパターンに応じて送信する手順と、を実行させるための干渉制御プログラムである。
【００１６】
また、本発明は、干渉制御用サブフレームと非干渉制御用サブフレームとを時分割多重する移動体通信システムの干渉制御システムにおいて、端末のコンピュータに、干渉制御用サブフレームを送信するための下り送信電力である第１送信電力を示すメッセージ、及び、非干渉制御用サブフレームを送信するための下り送信電力である第２送信電力を示すメッセージと、干渉制御用サブフレーム及び非干渉制御用サブフレームの送信順を示すサブセットパターンを示すメッセージとを、受信する手順と、前記第１送信電力を示すメッセージ、及び、前記第２送信電力を示すメッセージを検知する手順と、前記サブセットパターンを示すメッセージを検知する手順と、受信された干渉制御用サブフレームを、前記サブセットパターンを示すメッセージに基づいて検知した場合、前記第１送信電力を選択し、且つ、受信された非干渉制御用サブフレームを、前記サブセットパターンを示すメッセージに基づいて検知した場合、前記第２送信電力を選択する手順と、干渉制御用サブフレームの受信電力である第１受信電力、及び、干渉制御用サブフレームの受信電力である第２受信電力を測定する手順と、前記第１送信電力が選択された場合、前記第１送信電力及び前記第１受信電力に基づくカップリングロスを算出し、且つ、前記第２送信電力が選択された場合、前記第２送信電力及び前記第２受信電力に基づくカップリングロスを算出する手順と、前記カップリングロス算出部により算出されたカップリングロスに基づいて、上り送信電力を算出する手順と、を実行させるための干渉制御プログラムである。
【００１７】
また、本発明は、干渉制御用サブフレームと非干渉制御用サブフレームとを時分割多重する移動体通信システムの干渉制御システムにおいて、干渉制御装置のコンピュータに、カップリングロスを算出する対象として、干渉制御用サブフレーム又は非干渉制御用サブフレームを選択する手順と、選択された干渉制御用サブフレームに対応付けられた前記第１送信電力を示すメッセージ、又は、選択された非干渉制御用サブフレームに対応付けられた前記第２送信電力を示すメッセージを生成する手順と、前記サブセットパターンを示すメッセージを生成する手順と、選択された干渉制御用サブフレームを示すメッセージ、又は、選択された非干渉制御用サブフレームを示すメッセージを生成する手順と、前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記第１送信電力及び前記第２送信電力で前記サブセットパターンに応じて送信する手順と、を実行させるための干渉制御プログラムである。
【００１８】
また、本発明は、干渉制御用サブフレームと非干渉制御用サブフレームとを時分割多重する移動体通信システムの干渉制御システムにおいて、端末のコンピュータに、干渉制御用サブフレームを送信するための下り送信電力である第１送信電力を示すメッセージ、又は、非干渉制御用サブフレームを送信するための下り送信電力である前記第２送信電力を示すメッセージと、干渉制御用サブフレーム及び非干渉制御用サブフレームの送信順を示すサブセットパターンを示すメッセージと、干渉制御用サブフレームを示すメッセージ又は非干渉制御用サブフレームを示すメッセージとを、受信する手順と、前記第１送信電力を示すメッセージ、又は、前記第２送信電力を示すメッセージを検知する手順と、前記サブセットパターンを示すメッセージを検知するパターンメッセージ検知部と、干渉制御用サブフレームの受信電力である第１受信電力、及び、干渉制御用サブフレームの受信電力である第２受信電力を測定する手順と、干渉制御用サブフレームを示すメッセージ、又は、非干渉制御用サブフレームを示すメッセージを検知する手順と、前記指示メッセージ検知部により干渉制御用サブフレームを示すメッセージが検知された場合、前記第１送信電力及び前記第１受信電力に基づくカップリングロスを算出し、一方、前記指示メッセージ検知部により非干渉制御用サブフレームを示すメッセージが検知された場合、前記第２送信電力及び前記第２受信電力に基づくカップリングロスを算出する手順と、前記カップリングロス算出部により算出されたカップリングロスに基づいて、上り送信電力を算出する手順と、を実行させるための干渉制御プログラムである。
【発明の効果】
【００１９】
本発明によれば、干渉制御用サブフレームと非干渉制御用サブフレームとを時分割多重する移動体通信システムの干渉制御システムにおいて、カップリングロス算出部が、前記第１送信電力及び前記第１受信電力に基づくカップリングロス、及び、前記第２送信電力及び前記第２受信電力に基づくカップリングロスのうち、少なくとも一方を算出する。これにより、干渉制御システムは、上りリンク送信電力を適切に定め、下りリンク通信容量を向上させることができる。
【図面の簡単な説明】
【００２０】
【図１】本発明の第１実施形態における、干渉制御システムの第１構成例を表す図である。
【図２】本発明の第１実施形態における、サブフレームサブセットと下り送信電力との対応を示す管理テーブルの例である。
【図３】本発明の第２実施形態における、干渉制御システムの第２構成例を表す図である。
【発明を実施するための形態】
【００２１】
［第１実施形態］
本発明の第１実施形態について図面を参照して詳細に説明する。干渉制御用サブフレームと、非干渉制御用サブフレームとを時分割多重（ＴＤＭ）する移動体通信システムにおいて、干渉制御システムは、マクロ基地局が送信する干渉制御用サブフレームの送信電力を低減させることにより、下りリンク通信容量（スループット）を向上させる。また、干渉制御システムは、上りリンク送信電力を適切に定めることにより、安定した移動体通信システムを提供する。
【００２２】
図１には、干渉制御システムの第１構成例が表されている。干渉制御システムは、干渉制御装置１００ａと、端末２００ａとを備える。干渉制御装置１００ａは、例えば、マクロ基地局に備えられる。
【００２３】
まず、干渉制御装置１００ａの構成を説明する。
干渉制御装置１００ａは、サブセット管理部１１０ａと、電力管理部１２０ａと、下り送信電力メッセージ生成部１３０と、パターンメッセージ生成部１４０と、変調部１５０と、Ｄ／Ａ変換部１６０と、増幅部１７０とを備える。
【００２４】
サブセット管理部１１０ａは、サブフレームサブセットを示す情報を予め記憶し、サブフレームサブセットのパターン（例えば、ＡＡＢＡＢ…）を管理する。ここで、パターンとは、送信順を示す情報である。以下、サブフレームサブセットには、干渉制御用サブフレームＡと、非干渉制御用サブフレームＢとがあるものとして説明を続ける。なお、サブフレームサブセットは、これら二つのサブセットに限られなくてもよい。
【００２５】
また、サブセット管理部１１０ａは、サブフレームサブセットのパターン（以下、「サブセットパターン」という）を示す情報を、電力管理部１２０ａ及びパターンメッセージ生成部１４０に出力する。
【００２６】
電力管理部１２０ａには、サブセットパターンを示す情報が、サブセット管理部１１０ａから入力される。また、電力管理部１２０ａは、下り送信電力設定値Ｔを、サブフレームサブセット毎に管理テーブルに予め記憶する。ここで、下り送信電力とは、例えば、マクロ基地局から端末に送信されるセル参照信号（Ｃｅｌｌ Ｒｅｆｅｒｅｎｃｅ Ｓｉｇｎａｌ：ＣＲＳ）の送信電力である。
【００２７】
図２には、サブフレームサブセットと下り送信電力との対応を示す管理テーブルの例が示されている。以下では、一例として、干渉制御用サブフレームＡには、下り送信電力Ｔ（Ａ）を示す情報が、管理テーブルにより対応付けられているものとする。また、非干渉制御用サブフレームＢには、下り送信電力Ｔ（Ｂ）を示す情報が、管理テーブルにより対応付けられているものとする。
【００２８】
電力管理部１２０ａは、増幅部１７０が次回増幅するサブフレームサブセットが、干渉制御用サブフレームＡ又は非干渉制御用サブフレームＢのいずれなのかを、サブセットパターンを示す情報に基づいて、繰り返し検出する。
【００２９】
電力管理部１２０ａは、増幅部１７０が次回増幅するサブフレームサブセットが、干渉制御用サブフレームＡである場合、干渉制御用サブフレームＡに対応する下り送信電力Ｔ（Ａ）を示す情報を、管理テーブル（図２を参照）に基づいて、下り送信電力メッセージ生成部１３０及び増幅部１７０に出力する。
【００３０】
一方、電力管理部１２０ａは、増幅部１７０が次回増幅するサブフレームサブセットが非干渉制御用サブフレームＢである場合、非干渉制御用サブフレームＢに対応する下り送信電力Ｔ（Ｂ）を示す情報を、管理テーブル（図２を参照）に基づいて、下り送信電力メッセージ生成部１３０及び増幅部１７０に出力する。
【００３１】
下り送信電力メッセージ生成部１３０には、下り送信電力Ｔ（Ａ）を示す情報、又は、下り送信電力Ｔ（Ｂ）を示す情報が、増幅部１７０が次回増幅するサブフレームサブセット毎に、電力管理部１２０ａから入力される。
【００３２】
ここで、下り送信電力メッセージ生成部１３０は、下り送信電力Ｔ（Ａ）を示す情報が入力された場合、下り送信電力Ｔ（Ａ）を示す情報を、予め定められた方法により制御メッセージに変換し、変換した制御メッセージを変調部１５０に出力する。一方、下り送信電力メッセージ生成部１３０は、下り送信電力Ｔ（Ｂ）を示す情報が入力された場合、下り送信電力Ｔ（Ｂ）を示す情報を、予め定められた方法により制御メッセージに変換し、変換した制御メッセージを変調部１５０に出力する。
【００３３】
このようにして、下り送信電力メッセージ生成部１３０は、下り送信電力Ｔ（Ａ）を示す情報と、下り送信電力Ｔ（Ｂ）を示す情報との両方を、予め定められた方法により制御メッセージに変換し、変換した制御メッセージを変調部１５０に出力する。
【００３４】
パターンメッセージ生成部１４０には、サブセットパターンを示す情報が、サブセット管理部１１０ａから入力される。パターンメッセージ生成部１４０は、サブセットパターンを示す情報を、予め定められた方法により制御メッセージに変換し、変換した制御メッセージを変調部１５０に出力する。
【００３５】
変調部１５０には、各種の制御メッセージが入力される。例えば、上記で説明したように、変調部１５０には、下り送信電力Ｔ（Ａ）を示す情報を変換した制御メッセージ、又は、下り送信電力Ｔ（Ｂ）を示す情報を変換した制御メッセージが、増幅部１７０が次回増幅するサブフレームサブセット毎に、下り送信電力メッセージ生成部１３０から入力される。また、例えば、上記で説明したように、変調部１５０には、サブセットパターンを示す情報を変換した制御メッセージが、パターンメッセージ生成部１４０から入力される。
【００３６】
変調部１５０は、入力された制御メッセージをデジタル無線信号に変調し、変調したデジタル無線信号をＤ／Ａ変換部１６０に出力する。また、変調部１５０は、セル参照信号をデジタル無線信号に変調し、変調したデジタル無線信号をＤ／Ａ変換部１６０に出力する。
【００３７】
Ｄ／Ａ変換部１６０は、変調部１５０から入力されたデジタル信号をアナログ信号に変換し、変換したアナログ信号を増幅部１７０に出力する。
【００３８】
増幅部１７０には、変換したアナログ信号がＤ／Ａ変換部１６０から入力される。また、増幅部１７０には、下り送信電力Ｔ（Ａ）を示す情報、又は、下り送信電力Ｔ（Ｂ）を示す情報が、増幅部１７０が次回増幅するサブフレームサブセット毎に、電力管理部１２０ａから入力される。
【００３９】
ここで、増幅部１７０は、下り送信電力Ｔ（Ａ）を示す情報が入力された場合、下り送信電力が下り送信電力Ｔ（Ａ）となるようアナログ信号を増幅（出力調整）し、増幅したアナログ信号を端末２００ａに無線送信する。一方、増幅部１７０は、下り送信電力Ｔ（Ｂ）を示す情報が入力された場合、下り送信電力が下り送信電力Ｔ（Ｂ）となるようアナログ信号を増幅（出力調整）し、増幅したアナログ信号を端末２００ａに自装置のアンテナを介して無線送信する。
【００４０】
次に、端末２００ａの構成を説明する。
端末２００ａは、増幅部２１０と、Ａ／Ｄ変換部２２０と、復調部２３０と、下り送信電力メッセージ検知部２４０ａと、パターンメッセージ検知部２５０ａと、測定部２６０と、電力及びサブセット管理部２７０と、カップリングロス算出部２８０ａと、上り送信電力算出部２９０とを備える。
【００４１】
増幅部２１０は、干渉制御装置１００ａの増幅部１７０を介して無線送信されたアナログ信号を、自端末のアンテナを介して受信し、受信したアナログ信号に含まれている雑音を低減してから、Ａ／Ｄ変換部２２０に転送する。Ａ／Ｄ変換部２２０は、雑音が低減されたアナログ信号をデジタル信号に変換し、変換したデジタル信号を復調部２３０に出力する。
【００４２】
復調部２３０は、Ａ／Ｄ変換部２２０が変換したデジタル信号を論理情報に復調し、復調した論理情報を、下り送信電力メッセージ検知部２４０ａ、パターンメッセージ検知部２５０ａ、及び測定部２６０に出力する。なお、復調部２３０は、復調した論理情報を他の各種の検知部（不図示）に出力してもよい。
【００４３】
下り送信電力メッセージ検知部２４０ａは、入力された論理情報から制御メッセージを抽出することにより、抽出した制御メッセージが下り送信電力Ｔ（Ａ）又は下り送信電力Ｔ（Ｂ）のいずれを示しているかを検知する。
【００４４】
ここで、下り送信電力メッセージ検知部２４０ａは、抽出した制御メッセージが下り送信電力Ｔ（Ａ）を示す場合、下り送信電力Ｔ（Ａ）を示す情報を、電力及びサブセット管理部２７０に出力する。一方、下り送信電力メッセージ検知部２４０ａは、抽出した制御メッセージが下り送信電力Ｔ（Ｂ）を示す場合、下り送信電力Ｔ（Ｂ）を示す情報を、電力及びサブセット管理部２７０に出力する。
【００４５】
このようにして、下り送信電力メッセージ検知部２４０ａは、下り送信電力Ｔ（Ａ）を示す情報と、下り送信電力Ｔ（Ｂ）を示す情報との両方を、電力及びサブセット管理部２７０に出力する。
【００４６】
パターンメッセージ検知部２５０ａは、入力された論理情報から制御メッセージを抽出することにより、サブセットパターンを示す情報を検知する。また、パターンメッセージ検知部２５０ａは、検知したサブセットパターンを示す情報、すなわち、受信したサブフレームが干渉制御用サブフレームＡ又は非干渉制御用サブフレームＢのいずれであるかを示す情報を、電力及びサブセット管理部２７０と、測定部１６０とに出力する。
【００４７】
測定部２６０には、サブセットパターンを示す情報が、パターンメッセージ検知部２５０ａから入力される。また、測定部２６０には、復調部２３０が復調した論理情報が、復調部２３０から入力される。測定部２６０は、入力された論理情報からセル参照信号を抽出し、サブセットパターンを示す情報に基づいて、サブフレームサブセット毎にセル参照信号の受信電力を測定する。また、測定部２６０は、サブフレームサブセット毎に測定したセル参照信号の受信電力を示す測定情報を、そのサブフレームサブセットに対応づけてカップリングロス算出部２８０ａに出力する。
【００４８】
以下、干渉制御用サブフレームＡにより送信されたセル参照信号の受信電力を、Ｒ（Ａ）と表記する。また、非干渉制御用サブフレームＢにより送信されたセル参照信号の受信電力を、Ｒ（Ｂ）と表記する。
【００４９】
電力及びサブセット管理部２７０には、下り送信電力Ｔ（Ａ）を示す情報、又は、下り送信電力Ｔ（Ｂ）を示す情報が、サブフレームサブセット毎に下り送信電力メッセージ検知部２４０ａから入力される。このようにして、電力及びサブセット管理部２７０には、下り送信電力Ｔ（Ａ）を示す情報と、下り送信電力Ｔ（Ｂ）を示す情報との両方が、下り送信電力メッセージ検知部２４０ａから入力される。
【００５０】
電力及びサブセット管理部２７０には、サブセットパターンを示す情報が、パターンメッセージ検知部２５０ａから入力される。電力及びサブセット管理部２７０は、カップリングロスを算出する対象とするサブフレームサブセットを、サブセットパターンを示す情報に基づいて検出する。また、電力及びサブセット管理部２７０は、カップリングロスを算出する対象とするサブフレームサブセットの下り送信電力Ｔを示す情報を、管理テーブル（図２を参照）に基づいて検出する。
【００５１】
ここで、電力及びサブセット管理部２７０は、カップリングロスを算出する対象とするサブフレームサブセットが、干渉制御用サブフレームＡである場合、下り送信電力Ｔ（Ａ）を示す情報を、管理テーブルに基づいてカップリングロス算出部２８０ａに出力する。一方、電力及びサブセット管理部２７０は、カップリングロスを算出する対象とするサブフレームサブセットが、非干渉制御用サブフレームＢである場合、下り送信電力Ｔ（Ｂ）を示す情報を、管理テーブルに基づいてカップリングロス算出部２８０ａに出力する。
【００５２】
カップリングロス算出部２８０ａには、下り送信電力Ｔ（Ａ）を示す情報、又は、下り送信電力Ｔ（Ｂ）を示す情報が、電力及びサブセット管理部２７０から入力される。また、カップリングロス算出部２８０ａには、セル参照信号の受信電力Ｒ（Ａ）を示す測定情報と、セル参照信号の受信電力Ｒ（Ｂ）を示す測定情報とが、測定部２６０から入力される。
【００５３】
カップリングロス算出部２８０ａは、干渉制御用サブフレームＡを示す情報が入力された場合、セル参照信号の受信電力Ｒ（Ａ）から、下り送信電力Ｔ（Ａ）を減算することにより、カップリングロスＬ(Ａ)（＝セル参照信号の受信電力値Ｒ(Ａ)−下り送信電力Ｔ(Ａ)）を算出（推定）し、カップリングロスＬ(Ａ)を示す情報を、上り送信電力算出部２９０に出力する。
【００５４】
一方、カップリングロス算出部２８０ａは、非干渉制御用サブフレームＢを示す情報が入力された場合、セル参照信号の受信電力Ｒ（Ｂ）から、下り送信電力Ｔ（Ｂ）を減算することにより、カップリングロスＬ(Ｂ) （＝セル参照信号の受信電力Ｒ(Ｂ)−下り送信電力Ｔ(Ｂ)）を算出（推定）し、カップリングロスＬ(Ｂ)を示す情報を、上り送信電力算出部２９０に出力する。
【００５５】
上り送信電力算出部２９０には、カップリングロスＬ(Ａ)を示す情報、又は、カップリングロスＬ(Ｂ)を示す情報が、カップリングロス算出部２８０ａから入力される。したがって、上り送信電力算出部２９０には、カップリングロスＬ(Ａ)を示す情報と、カップリングロスＬ(Ｂ)を示す情報との両方が、カップリングロス算出部２８０ａから入力される。
【００５６】
上り送信電力算出部２９０は、カップリングロスＬ(Ａ)を示す情報が入力された場合、カップリングロスＬ(Ａ)に基づいて、適切な上りリンク送信電力値を、予め定められた方法により算出する。一方、上り送信電力算出部２９０は、カップリングロスＬ(Ｂ)を示す情報が入力された場合、カップリングロスＬ(Ｂ)に基づいて、適切な上りリンク送信電力値を、予め定められた方法により算出する。
【００５７】
これにより、所定データは、上り送信電力算出部２９０が算出した適切な上りリンク送信電力により、端末２００ａからマクロ基地局に、上りリンクを介して無線送信される。
【００５８】
以上のように、干渉制御用サブフレームと非干渉制御用サブフレームとを時分割多重する移動体通信システムの干渉制御システムにおいて、干渉制御システムは、干渉制御用サブフレーム及び非干渉制御用サブフレームの送信順を示すサブセットパターンを記憶するサブセット管理部１１０ａと、干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部１２０ａと、前記第１送信電力を示すメッセージ、及び、前記第２送信電力を示すメッセージを生成する下り送信電力メッセージ生成部１３０と、前記サブセットパターンを示すメッセージを生成するパターンメッセージ生成部１４０と、前記第１送信電力を示すメッセージ及び前記第２送信電力を示すメッセージと、前記サブセットパターンを示すメッセージとを、前記第１送信電力及び前記第２送信電力で前記サブセットパターンに応じて送信するアンテナ（送信部）、変調部１５０（送信部）、Ｄ／Ａ変換部１６０（送信部）及び増幅部１７０（送信部）と、を有する干渉制御装置１００ａと、前記第１送信電力を示すメッセージ及び前記第２送信電力を示すメッセージと、前記サブセットパターンを示すメッセージとを、増幅部１７０（送信部）から受信するアンテナ（受信部）、増幅部２１０（受信部）、Ａ／Ｄ変換部２２０（受信部）及び復調部２３０（受信部）と、前記第１送信電力を示すメッセージ、及び、前記第２送信電力を示すメッセージを検知する下り送信電力メッセージ検知部２４０ａと、前記サブセットパターンを示すメッセージを検知するパターンメッセージ検知部２５０ａと、増幅部１７０（受信部）により受信された干渉制御用サブフレームを、前記サブセットパターンを示すメッセージに基づいて検知した場合、前記第１送信電力を選択し、且つ、増幅部１７０（受信部）により受信された非干渉制御用サブフレームを、前記サブセットパターンを示すメッセージに基づいて検知した場合、前記第２送信電力を選択する、電力及びサブセット管理部２７０と、干渉制御用サブフレームの受信電力である第１受信電力、及び、干渉制御用サブフレームの受信電力である第２受信電力を測定する測定部２６０と、電力及びサブセット管理部２７０により前記第１送信電力が選択された場合、前記第１送信電力及び前記第１受信電力に基づくカップリングロスを算出し、且つ、電力及びサブセット管理部２７０により前記第２送信電力が選択された場合、前記第２送信電力及び前記第２受信電力に基づくカップリングロスを算出するカップリングロス算出部２８０ａと、カップリングロス算出部２８０ａにより算出されたカップリングロスに基づいて、上り送信電力を算出する上り送信電力算出部２９０と、を有する端末２００ａと、を備える。
この構成により、カップリングロス算出部が、前記第１送信電力及び前記第１受信電力に基づくカップリングロス、及び、前記第２送信電力及び前記第２受信電力に基づくカップリングロスのうち、少なくとも一方を算出する。これにより、干渉制御システムは、上りリンク送信電力を適切に定める、下りリンク通信容量（スループット）を向上させることができる。また、干渉制御システムは、安定した移動体通信システムを提供することができる。
【００５９】
［第２実施形態］
第２実施形態では、カップリングロスを算出する対象とするサブフレームサブセットを、干渉制御装置が端末に指示するためメッセージが用いられる点が、第１実施形態と相違する。以下では、第１実施形態との相違点についてのみ説明する。
【００６０】
図３には、干渉制御システムの第２構成例が示されている。干渉制御システムは、干渉制御装置１００ｂと、端末２００ｂとを備える。干渉制御装置１００ｂは、例えば、マクロ基地局に備えられる。
【００６１】
まず、干渉制御装置１００ｂの構成を説明する。
干渉制御装置１００ｂは、サブセット管理部１１０ｂと、電力管理部１２０ｂと、下り送信電力メッセージ生成部１３０と、パターンメッセージ生成部１４０と、変調部１５０と、Ｄ／Ａ変換部１６０と、増幅部１７０と、指示メッセージ生成部１８０とを備える。  ここで、サブセット管理部１１０ｂは、第１実施形態における、サブセット管理部１１０ａに相当する。また、電力管理部１２０ｂは、第１実施形態における、電力管理部１２０ａに相当する。
【００６２】
サブセット管理部１１０ａは、サブセットパターンを示す情報を、電力管理部１２０ｂ及びパターンメッセージ生成部１４０に出力する。また、サブセット管理部１１０ｂは、端末２００ｂがカップリングロスを算出する対象とするサブフレームサブセットとして、干渉制御用サブフレームＡを示す情報、又は非干渉制御用サブフレームＢを示す情報のいずれか一方を、電力管理部１２０ｂ及び指示メッセージ生成部１８０に出力する。
【００６３】
ここで、端末１００ｂがカップリングロスを算出する対象とするサブフレームサブセットとして、干渉制御用サブフレームＡが予め定められている場合、サブセット管理部１１０ｂは、干渉制御用サブフレームＡを示す情報のみを、電力管理部１２０ｂ及び指示メッセージ生成部１８０に出力する。一方、端末２００ｂがカップリングロスを算出する対象とするサブフレームサブセットとして、非干渉制御用サブフレームＢが予め定められている場合、サブセット管理部１１０ｂは、非干渉制御用サブフレームＢを示す情報のみを、電力管理部１２０ｂ及び指示メッセージ生成部１８０に出力する。
【００６４】
電力管理部１２０ｂには、端末１００ｂがカップリングロスを算出する対象とするサブフレームサブセットを示す情報として、干渉制御用サブフレームＡを示す情報、又は非干渉制御用サブフレームＢを示す情報のいずれか一方のみが、サブセット管理部１１０ｂから入力される。このようにして、電力管理部１２０ｂは、下り送信電力Ｔ（Ａ）を示す情報、又は下り送信電力Ｔ（Ｂ）を示す情報のいずれか一方のみを、下り送信電力メッセージ生成部１３０に出力する。
【００６５】
下り送信電力メッセージ生成部１３０には、下り送信電力Ｔ（Ａ）を示す情報、又は、下り送信電力Ｔ（Ｂ）を示す情報のいずれか一方のみが、電力管理部１２０ｂから入力される。このようにして、下り送信電力メッセージ生成部１３０は、下り送信電力Ｔ（Ａ）を示す情報、又は下り送信電力Ｔ（Ｂ）を示す情報のいずれか一方のみを、予め定められた方法により制御メッセージに変換し、変換した制御メッセージを変調部１５０に出力する。
【００６６】
指示メッセージ生成部１８０には、端末１００ｂがカップリングロスを算出する対象とするサブフレームサブセットとして、干渉制御用サブフレームＡを示す情報、又は非干渉制御用サブフレームＢを示す情報のいずれか一方のみが、サブセット管理部１１０ｂから入力される。
【００６７】
ここで、指示メッセージ生成部１８０は、干渉制御用サブフレームＡを示す情報が入力された場合、干渉制御用サブフレームＡを示す情報を、予め定められた方法により制御メッセージに変換し、変換した制御メッセージを変調部１５０に出力する。一方、指示メッセージ生成部１７０は、非干渉制御用サブフレームＢを示す情報が入力された場合、非干渉制御用サブフレームＢを示す情報を、予め定められた方法により制御メッセージに変換し、変換した制御メッセージを変調部１５０に出力する。
【００６８】
このようにして、指示メッセージ生成部１８０は、干渉制御用サブフレームＡを示す情報、又は非干渉制御用サブフレームＢを示す情報のいずれか一方のみを、予め定められた方法により制御メッセージに変換し、変換した制御メッセージを変調部１５０に出力する。
【００６９】
次に、端末２００ｂの構成を説明する。
端末２００ｂは、増幅部２１０と、Ａ／Ｄ変換部２２０と、復調部２３０と、下り送信電力メッセージ検知部２４０ｂと、パターンメッセージ検知部２５０ｂと、測定部２６０と、カップリングロス算出部２８０ｂと、指示メッセージ検知部２８５と、上り送信電力算出部２９０とを備える。
【００７０】
ここで、下り送信電力メッセージ検知部２４０ｂは、第１実施形態における、下り送信電力メッセージ検知部２４０ａに相当する。また、パターンメッセージ検知部２５０ｂは、第１実施形態における、パターンメッセージ検知部２５０ａに相当する。また、カップリングロス算出部２８０ｂは、第１実施形態における、カップリングロス算出部２８０ａに相当する。
【００７１】
下り送信電力メッセージ検知部２４０ｂは、入力された論理情報から制御メッセージを抽出することにより、抽出した制御メッセージが下り送信電力Ｔ（Ａ）又は下り送信電力Ｔ（Ｂ）のいずれを示しているかを検知する。
【００７２】
下り送信電力メッセージ検知部２４０ｂは、抽出した制御メッセージが下り送信電力Ｔ（Ａ）を示す場合、下り送信電力Ｔ（Ａ）を示す情報を、カップリングロス算出部２８０ｂに出力する。一方、下り送信電力メッセージ検知部２４０ｂは、抽出した制御メッセージが下り送信電力Ｔ（Ｂ）を示す場合、下り送信電力Ｔ（Ｂ）を示す情報を、カップリングロス算出部２８０ｂに出力する。
【００７３】
このようにして、下り送信電力メッセージ検知部２４０ｂは、下り送信電力Ｔ（Ａ）を示す情報、又は下り送信電力Ｔ（Ｂ）を示す情報のいずれか一方のみを、カップリングロス算出部２８０ｂに出力する。
【００７４】
パターンメッセージ検知部２５０ｂは、入力された論理情報から制御メッセージを抽出することにより、サブセットパターンを示す情報を検知し、検知したサブセットパターンを示す情報を、測定部２６０に出力する。
【００７５】
指示メッセージ検知部２８５には、復調した論理情報が、復調部２３０から入力される。指示メッセージ検知部２８５は、入力された論理情報から制御メッセージを抽出することにより、端末１００ｂがカップリングロスを算出する対象とするサブフレームサブセットを示す情報を検知し、検知したサブフレームサブセットを示す情報を、カップリングロス算出部２８０ｂに出力する。
【００７６】
このようにして、指示メッセージ検知部２８５は、干渉制御用サブフレームＡを示す情報、又は非干渉制御用サブフレームＢを示す情報のいずれか一方のみを、カップリングロス算出部２８０ｂに出力する。
【００７７】
カップリングロス算出部２８０ｂには、下り送信電力Ｔ（Ａ）を示す情報、又は下り送信電力Ｔ（Ｂ）を示す情報のいずれか一方のみが、下り送信電力メッセージ検知部２４０ｂから入力される。また、カップリングロス算出部２８０ｂには、測定したセル参照信号の受信電力Ｒ（Ａ）を示す測定情報と、測定したセル参照信号の受信電力Ｒ（Ｂ）を示す測定情報とが、測定部２６０から入力される。また、カップリングロス算出部２８０ｂには、干渉制御用サブフレームＡを示す情報、又は非干渉制御用サブフレームＢを示す情報のいずれか一方のみが、指示メッセージ検知部２８５から入力される。
【００７８】
このようにして、カップリングロス算出部２８０ｂは、カップリングロスＬ（Ａ）を示す情報、又はカップリングロスＬ（Ｂ）を示す情報のいずれか一方のみを、上り送信電力算出部２９０に出力する。例えば、カップリングロス算出部２８０ｂは、干渉制御用サブフレームＡを示す情報が指示メッセージ検知部２８５から入力された場合、セル参照信号の受信電力Ｒ（Ａ）から、下り送信電力Ｔ（Ａ）を減算することにより、カップリングロスＬ（Ａ）（＝セル参照信号の受信電力値Ｒ（Ａ）−下り送信電力Ｔ（Ａ））を算出（推定）し、カップリングロスＬ（Ａ）を示す情報のみを、上り送信電力算出部２９０に出力する。カップリングロスＬ（Ｂ）についても同様である。
【００７９】
これにより、所定データは、上り送信電力算出部２９０が算出した適切な上りリンク送信電力により、端末２００ｂからマクロ基地局に、上りリンクを介して無線送信される。
【００８０】
以上のように、干渉制御用サブフレームと非干渉制御用サブフレームとを時分割多重する移動体通信システムの干渉制御システムにおいて、干渉制御システムは、干渉制御用サブフレーム及び非干渉制御用サブフレームの送信順を示すサブセットパターンを記憶し、カップリングロスを算出する対象として、干渉制御用サブフレーム又は非干渉制御用サブフレームを選択するサブセット管理部１１０ｂと、干渉制御用サブフレームを送信するための下り送信電力である第１送信電力を示す情報、及び、非干渉制御用サブフレームを送信するための下り送信電力である第２送信電力を示す情報を、干渉制御用サブフレーム及び非干渉制御用サブフレームに対応付けて記憶する電力管理部１２０ｂと、サブセット管理部１１０ｂにより選択された干渉制御用サブフレームに対応付けられた前記第１送信電力を示すメッセージ、又は、サブセット管理部１１０ｂにより選択された非干渉制御用サブフレームに対応付けられた前記第２送信電力を示すメッセージを生成する下り送信電力メッセージ生成部１３０と、前記サブセットパターンを示すメッセージを生成するパターンメッセージ生成部と、サブセット管理部１１０ｂにより選択された干渉制御用サブフレームを示すメッセージ、又は、サブセット管理部１１０ｂにより選択された非干渉制御用サブフレームを示すメッセージを生成する指示メッセージ生成部１８０と、前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、前記第１送信電力及び前記第２送信電力で前記サブセットパターンに応じて送信するアンテナ（送信部）、変調部１５０（送信部）、Ｄ／Ａ変換部１６０（送信部）及び増幅部１７０（送信部）と、を有する干渉制御装置１００ｂと、前記第１送信電力を示すメッセージ又は前記第２送信電力を示すメッセージと、前記サブセットパターンを示すメッセージと、干渉制御用サブフレームを示すメッセージ又は非干渉制御用サブフレームを示すメッセージとを、増幅部１７０（送信部）から受信するアンテナ（受信部）、増幅部２１０（受信部）、Ａ／Ｄ変換部２２０（受信部）及び復調部２３０（受信部）と、前記第１送信電力を示すメッセージ、又は、前記第２送信電力を示すメッセージを検知する下り送信電力メッセージ検知部２４０ｂと、前記サブセットパターンを示すメッセージを検知するパターンメッセージ検知部２５０ｂと、干渉制御用サブフレームの受信電力である第１受信電力、及び、干渉制御用サブフレームの受信電力である第２受信電力を測定する測定部２６０と、干渉制御用サブフレームを示すメッセージ、又は、非干渉制御用サブフレームを示すメッセージを検知する指示メッセージ検知部２８５と、指示メッセージ検知部２８５により干渉制御用サブフレームを示すメッセージが検知された場合、前記第１送信電力及び前記第１受信電力に基づくカップリングロスを算出し、一方、指示メッセージ検知部２８５により非干渉制御用サブフレームを示すメッセージが検知された場合、前記第２送信電力及び前記第２受信電力に基づくカップリングロスを算出するカップリングロス算出部２８０ｂと、カップリングロス算出部２８０ｂにより算出されたカップリングロスに基づいて、上り送信電力を算出する上り送信電力算出部２９０と、を有する端末２００ｂと、を備える。
この構成により、カップリングロス算出部が、前記第１送信電力及び前記第１受信電力に基づくカップリングロス、及び、前記第２送信電力及び前記第２受信電力に基づくカップリングロスのうち、少なくとも一方を算出する。これにより、干渉制御システムは、上りリンク送信電力を適切に定める、下りリンク通信容量（スループット）を向上させることができる。また、干渉制御システムは、安定した移動体通信システムを提供することができる。
【００８１】
以上、この発明の実施形態について図面を参照して詳述してきたが、具体的な構成はこの実施形態に限られるものではなく、この発明の要旨を逸脱しない範囲の設計等も含まれる。
【００８２】
なお、以上に説明した干渉制御システム、干渉制御基地局及び干渉制御端末を実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００８３】
１００ａ及び１１０ｂ…干渉制御装置、１１０ａ及び１１０ｂ…サブセット管理部、１２０ａ及び１２０ｂ…電力管理部、１３０…下り送信電力メッセージ生成部、１４０…パターンメッセージ生成部、１５０…変調部（送信部）、１６０…Ｄ／Ａ変換部（送信部）、１７０…増幅部（送信部）、１８０…指示メッセージ生成部、２１０…増幅部（受信部）、２２０…Ａ／Ｄ変換部（受信部）、２３０…復調部（受信部）、２４０ａ及び２４０ｂ…下り送信電力メッセージ検知部、２５０ａ及び２５０ｂ…パターンメッセージ検知部、２６０…測定部、２７０…電力及びサブセット管理部、２８０ａ及び２８０ｂ…カップリングロス算出部、２８５…指示メッセージ検知部、２９０…上り送信電力算出部
【図１】
0005723719.tif 000002
【図２】
0005723719.tif 000003
【図３】
0005723719.tif 000004